(57)【特許請求の範囲】
【請求項１】
室内送風回路出口付近に左右に風向を偏向するための左右風向偏向羽根が具備される空気調和機の室内ユニットにおいて、前記左右風向偏向羽根を保持するために送風回路下面の出口に対し横方向に複数箇所の円形孔部を設け、前記円形孔部に取付ける左右風向偏向羽根には前記円形孔部が配設される送風回路下面と平行に円形に、かつ、厚みを持つ台座を設け、前記台座裏面より、前記円形孔部の内径より若干小さな同心円状の摺動面を有し、前記円形孔部より外側に、左右風向偏向羽根台座裏面より突出する爪の外周に、前記円形孔部の孔径より若干大きな凸形状を階段状に２段設け、前記円形孔部と前記爪を取付けるように構成したことを特徴とする空気調和機室内ユニット。
【請求項２】
爪部根元の、円形孔部の金型パーティングライン端面相対位置に凹形状の溝を設けたことを特徴とする請求項１記載の空気調和機室内ユニット。
【発明の詳細な説明】
【０００１】
【発明の属する技術分野】
本発明は空気調和機の室内ユニットに関するものである。
【０００２】
【従来の技術】
従来、空気調和機室内ユニットの左右風向偏向羽根は、図４および図５に示すように、吹出し送風回路１の出口付近下面に設けられた円形孔部１ａに取付け、かつ、保持されるよう、左右風向偏向羽根２の台座２ａ裏面より突出し、前記円形孔部１ａでは若干小さな同心円状の摺動面となる外周を有し、送風回路1の下面より外側では、外周形状が前記円形孔部１ａの孔径より若干大きな凸形状断面の爪３を複数本設けた構造をしていた。
【０００３】
【発明が解決しようとする課題】
しかしながら、上記従来の構成では、左右風向偏向羽根２はポリプロピレン等の樹脂材料での成形であり、吹出し送風回路出口部下面に設けられた円形孔部１ａに上方より左右風向偏向羽根２を取付ける場合、爪３の凸形状部が円形孔部１ａ内面の端面を乗り越える際に、凸形状部に面ダレ等の変形が起り、円形孔部１ａの方向へ返りが発生する。
【０００４】
爪３の凸形状部に面ダレによる返りが発生した場合、爪３部と円形孔部１ａの隙間が小さくなり、また左右風向偏向羽根２が円形孔部１ａに対して傾き、円形孔部１ａ中心を軸としてモーター等で左右風向偏向羽根２を回転させる場合に、摺動抵抗が大きくなり回転時にガタツキが生じたり、場合によってはモーターの駆動トルク以上の摺動抵抗となった場合には左右風向偏向羽根２を回転させられなくなるため、取付け時の作業徹底と取付け後の左右風向偏向羽根２の摺動抵抗管理が必要であるという課題を有していた。
【０００５】
また、吹出し送風回路出口部部品下面に設けられた円形孔部１ａは、部品を成形する際、円形孔部１ａの金型パーティングライン側の端面にバリが発生する場合がしばしばあり、円形孔部１ａ端面にバリが形成されると、左右風向偏向羽根２を回転させる場合に、爪３の摺動面に円形孔部１ａ端面のバリが食い込んで回転時にガタツキが発生する場合がしばしばあるため、送風回路出口部部品成形時のバリの管理が必要であるという課題も有していた。
【０００６】
本発明は、このような従来の課題に対して、空気調和機室内ユニットを構成する吹出し送風回路出口部の左右風向偏向羽根が回転する時のガタツキを防止し、部品成形時および取付け時の管理レベル・工数を軽減した空気調和機室内ユニットの左右風向偏向羽根を提供することを目的とする。
【０００７】
【課題を解決するための手段】
上記課題に対して、本発明のうちで請求項１に記載の発明は、室内送風回路出口付近に左右に風向を偏向するための左右風向偏向羽根が具備される空気調和機の室内ユニットにおいて、前記左右風向偏向羽根を保持するために送風回路下面の出口に対し横方向に複数箇所の円形孔部を設け、円形孔部に取付ける左右風向偏向羽根には前記円形孔部が配設される送風回路下面上に下面と平行に円形に、かつ、厚みを持つ台座を設け、前記台座裏面より、前記円形孔部の内径より若干小さな同心円状の摺動面を有し、前記円形孔部より外側に、左右風向偏向羽根台座裏面より突出する爪の外周に、前記円形孔部の孔径より若干大きな凸形状を階段状に２段設けるものである。上記爪の２段の凸形状によって、左右風向偏向羽根の取付け時の作業徹底と取付け後の左右風向偏向羽根の摺動抵抗管理が不要となり、安定した左右風向偏向羽根の取付け作業が得られる。
【０００８】
また、請求項２に記載の発明は、上記円形孔部の金型パーティングライン端面に相対する上記左右風向偏向羽根の爪部根元に凹形状の溝を設けることによって、送風回路出口部部品の成形時におけるバリの管理が不要となり、容易な取付け作業が得られる。
【０００９】
【発明の実施の形態】
請求項１に記載の発明は、室内送風回路出口付近に左右に風向を偏向するための左右風向偏向羽根が具備される空気調和機の室内ユニットにおいて、前記左右風向偏向羽根を保持するために送風回路下面の長手方向に複数箇所の円形孔部を設け、円形孔部に取付ける左右風向偏向羽根には前記円形孔部が配設される送風回路下面上に水平方向に円形に、かつ、厚みを持つ台座を設け、前記台座裏面より、前記円形孔部の内径より若干小さな同心円状の摺動面を有し左右風向偏向羽根台座裏面より突出する爪の外周に、前記円形孔部の孔径より若干突出する凸形状を階段状に２段設けたものである。
【００１０】
そしてこの構成によれば、左右風向偏向羽根を送風回路部品の円形孔部に挿入する際、円形孔部の内面を擦る時、および円形孔部の端面を乗り越える際に、２段に設けた凸部の先端側の端面に面ダレによる返りが発生しても、送風回路側の凸部端面には、面ダレによる返りが発生しなくなり、円形孔部との隙間を確実に確保することが可能となる。これにより、円形孔部に対して左右風向偏向羽根が傾くことも無くなり、取付け後の円形孔部軸心を中心にした回転が滑らかに行なえる。また、爪部の外周に前記円形孔部の孔径より若干突出する凸形状を階段状に２段設けることにより、取付け時の面ダレによる返りが発生しなくなるため、取付け作業を容易とすることができる。
【００１１】
次に請求項２に記載の発明は、上記円形孔部の金型パーティングライン端面に相対する上記左右風向偏向羽根の爪部根元に凹形状の溝を設けたものである。上記円形孔部の金型パーティングライン端面に相対する上記左右風向偏向羽根の爪部根元に凹形状の溝を設けたものである。
【００１２】
そしてこの構成によれば、円形孔部に成形上のバリが発生した場合でも、左右風向偏向羽根が回転する際にバリの影響が無くなり羽根の回転が滑らかに行なえる。また、送風回路部品を成形する際には、円形孔部のバリの管理を行なう必要を無くすことができる。
【００１３】
以下、本発明の実施形態について図面を参照して説明する。
（実施の形態１）
図１および図２は本実施の形態１の断面を示した図および断面の拡大を示した図である。図において、１は送風回路を形成する部品であり、その出口付近の下面側に円形孔部1ａが設けられている。前記円形孔部1ａには、左右風向偏向羽根２が取付けられている。
【００１４】
左右風向偏向羽根２には、送風回路１の下面上に水平方向に円形の、かつ、厚みを持つ台座２ａを設け、前記台座２ａ裏面より、前記円形孔部１ａの内径より若干小さな同心円状の摺動面を有し左右風向偏向羽根２の台座２ａ裏面より突出する爪３の外周に、前記円形孔部１ａの孔径より若干突出する凸形状を階段状に２段設けたものである。
【００１５】
上記左右風向偏向羽根２において、送風回路部品１の円形孔部１ａに挿入する際、円形孔部１ａの内面を擦る時、および円形孔部１ａの端面を乗り越える時に、爪３の２段に設けた凸部の外周側の端面に面ダレによる返りが発生しても、送風回路１側の凸部端面には、面ダレによる返りが発生しなくなり、円形孔部１ａとの隙間を確実に確保することができる。
（実施の形態２）
図３は本実施の形態２における空気調和機室内ユニットの要部断面拡大図であり、上記円形孔部１ａの金型構造上のパーティングラインは、送風回路１側にある。上記爪３の上記円形孔部１ａのパーティングラインに相対する位置には、凹状の溝３ｂが設けられたものである。
【００１６】
上記爪３部において、根元に凹状の溝３ｂを設けることにより、円形孔部１ａに成形上のバリが発生した場合でも、左右風向偏向羽根２が回転する際にバリの影響が無くなり羽根の回転が滑らかに行なうことができる。また、送風回路1部品を成形する際には、円形孔部１ａのバリの管理を行うことが不要にできる。
【００１７】
【発明の効果】
上記実施の形態の説明から明らかなように、請求項１に記載の本発明は、左右風向偏向羽根の爪部外周の形状を２段の凸形状にするもので、この構成によれば左右風向偏向羽根を送風回路部品の円形孔部に挿入する際、円形孔部の内面を擦る時、および円形孔部の端面を乗り越える際に、２段に設けた凸部の先端側の端面に面ダレによる返りが発生しても、送風回路側の凸部端面には、面ダレによる返りが発生しなくなり、円形孔部との隙間を確実に確保することが可能となる。
【００１８】
これにより、円形孔部に対して左右風向偏向羽根が傾くことも無くなり、取付け後の円形孔部軸心を中心にした回転が滑らかに行なえる。また、爪部の下部外周に前記円形孔部の孔径より若干突出する凸形状を階段状に２段設けることにより、取付け時の面ダレによる返りが発生しなくなるため、取付け時の作業管理が不要となり、安定した左右風向偏向羽根の取付けが得られるという効果を奏する。
【００１９】
請求項２に記載の本発明は、爪部根元に凹状の溝部を設けるもので、この構成によれば、円形孔部に成形上のバリが発生した場合でも、左右風向偏向羽根が回転する際にバリの影響が無くなり羽根の回転が滑らかに行なえる。また、送風回路部品を成形する際には、円形孔部のバリの管理を行なうことが不要になるという効果を奏する。
【図面の簡単な説明】
【図１】本発明の実施の形態１における空気調和機室内ユニットの要部拡大断面図
【図２】図１の拡大図
【図３】本発明の実施の形態２における空気調和機室内ユニットの要部拡大断面図
【図４】従来の空気調和機室内ユニットの要部断面図
【図５】図４の拡大図
【符号の説明】
１  送風回路部品
１ａ  円形孔部
２  左右風向偏向羽根
２ａ  左右風向偏向羽根台座
３  爪部
３ａ  凸形状部
３ｂ  溝部
【図１】
0003758544.tif 000002
【図２】
0003758544.tif 000003
【図３】
0003758544.tif 000004
【図４】
0003758544.tif 000005
【図５】
0003758544.tif 000006